(57)【要約】      （修正有）【課題】ワイヤレス通信のためのリソースを割り振るための方法を提供する。【解決手段】方法は、複数のサブフレームからのダウンリンク制御チャネルをグループ化することと、第１のシンボルマップ中に位置していて、アップリンクチャネルに対する予約されているリソースに関係する第１の制御チャネルエレメントを有するダウンリンク制御チャネルを、ダウンリンクサブフレームにわたって順序付けすることとを含む。方法は、リソースを効率的に割り振るために、シンボルの第１のマッピング、または、混合シンボル／サブフレームの第１のマッピングを使用する。【選択図】図１
2014078974.tif 000002
【特許請求の範囲】
【請求項１】
ワイヤレス通信のためのリソースを割り振るための方法において、
複数のサブフレームからのダウンリンク制御チャネルをグループ化することと、
第１のシンボルマップ中に位置していて、アップリンクチャネルに対して予約されているリソースに関係する第１の制御チャネルエレメントを有している前記ダウンリンク制御チャネルを、ダウンリンクサブフレームにわたって順序付けることと、
前記リソースを効率的に割り振るために、シンボルの第１のマッピング、または、混合シンボル／サブフレームの第１のマッピングを使用することとを含む方法。
【請求項２】
前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている請求項１記載の方法。
【請求項３】
前記ダウンリンク制御チャネルは、物理ダウンリンク制御チャネル（ＰＤＣＣＨ）に関係付けられている請求項１記載の方法。
【請求項４】
第２のＯＦＤＭシンボル中に第１のＣＣＥを有するダウンリンク制御チャネルを順序付けることをさらに含む請求項２記載の方法。
【請求項５】
第３のＯＦＤＭシンボル中に第１のＣＣＥを有するダウンリンク制御チャネルを順序付けることをさらに含む請求項４記載の方法。
【請求項６】
第４のＯＦＤＭシンボル中に第１のＣＣＥを有するダウンリンク制御チャネルを順序付けることをさらに含む請求項５記載の方法。
【請求項７】
物理アップリンク共有チャネル（ＰＵＳＣＨ）送信のために、未使用のリソースをスケジューリングすることをさらに含む請求項１記載の方法。
【請求項８】
第１のダウンリンクサブフレーム中で、第１のＣＣＥに関係付けられていない残りのダウンリンク制御チャネルを順序付けることをさらに含む請求項１記載の方法。
【請求項９】
第２のダウンリンクサブフレーム中で、前記第１のＣＣＥ、または、前記第１のダウンリンクサブフレームに関係付けられていない残りのダウンリンク制御チャネルを順序付けることをさらに含む請求項８記載の方法。
【請求項１０】
第３のサブフレーム中で、前記第１のＣＣＥ、または、前記第１のダウンリンクサブフレーム、または、前記第２のダウンリンクサブフレームに関係付けられていない、残りのダウンリンク制御チャネルを順序付けることをさらに含む請求項９記載の方法。
【請求項１１】
物理アップリンク共有チャネル（ＰＵＳＣＨ）送信のために、未使用のリソースをスケジューリングすることをさらに含む請求項８記載の方法。
【請求項１２】
複数のサブフレームにわたって、データ制御チャネルを均等に分配することをさらに含む請求項１記載の方法。
【請求項１３】
対称数のダウンリンクリソースおよびアップリンクリソースを処理することをさらに含む請求項１２記載の方法。
【請求項１４】
時分割デュプレックス、または、周波数分割デュプレックスシステム、または、ハーフデュプレックス周波数分割システムにしたがって、前記ダウンリンクチャネルを処理することをさらに含む請求項１記載の方法。
【請求項１５】
通信装置において、
複数のサブフレームからの制御チャネルを集約するための命令と、第１のシンボルマップ中に位置していて、アップリンクチャネルに対して予約されているリソースに関係する第１の制御チャネルエレメントを有する前記制御チャネルを、サブフレームにわたって再順序付けるための命令と、前記リソースを割り振るために、シンボルの第１のマッピング、または、混合シンボル／サブフレームの第１のマッピングを処理するための命令とを保持するメモリと、
前記命令を実行するプロセッサとを具備する通信装置。
【請求項１６】
前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている請求項１５記載の装置。
【請求項１７】
第２のＯＦＤＭシンボル中に、第１のＣＣＥを有するダウンリンク制御チャネルをさらに含む請求項１６記載の装置。
【請求項１８】
物理アップリンク共有チャネル（ＰＵＳＣＨ）送信のために、未使用のリソースを処理するためのスケジューラをさらに具備する請求項１７記載の装置。
【請求項１９】
通信装置において、
１つ以上のサブフレームからの複数の制御チャネルを処理する手段と、
第１のシンボルマップ中に位置していて、アップリンクチャネルに対して予約されているリソースに関係する第１の制御チャネルエレメントを有している前記制御チャネルを、ダウンリンクサブフレームにわたって順番に並べる手段と、
前記リソースを処理するために、シンボルの第１のマッピング、または、混合シンボル／サブフレームの第１のマッピングを発生させる手段とを具備する通信装置。
【請求項２０】
コンピュータ読み取り可能媒体において、
１つ以上のサブフレームからの複数の制御チャネルを処理することと、
予約されているリソースに関係する第１のシンボルマップ中に位置している第１の制御チャネルエレメントを有する前記制御チャネルを、ダウンリンクサブフレームにわたって再順序付けることと、
前記リソースを割り振るために、シンボルの第１のマッピング、または、混合シンボル／サブフレームの第１のマッピングを送信することとを含むコンピュータ読み取り可能媒体。
【請求項２１】
プロセッサにおいて、
複数のサブフレームからの複数の制御チャネルを監視するための命令と、
予約されているリソースに関係する第１のシンボルマップ中に位置している第１の制御チャネルエレメントを有する前記制御チャネルを、ダウンリンクサブフレームにわたって拡散させるための命令と、
前記リソースを分配するために、シンボルの第１のマッピング、または、混合シンボル／サブフレームの第１のマッピングを送信するための命令とを実行するプロセッサ。
【請求項２２】
ワイヤレス通信のためのリソースを処理するための方法において、
複数のサブフレームからのダウンリンク制御チャネルを受信することと、
第１のシンボルマップ中に位置していて、アップリンクチャネルに対して予約されているリソースに関係する第１の制御チャネルエレメントを有する前記ダウンリンク制御チャネルを、ダウンリンクサブフレームにわたって処理することと、
前記リソースを効率的に割り振るために、シンボルの第１のマッピング、または、混合シンボル／サブフレームの第１のマッピングを処理することとを含む方法。
【請求項２３】
前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている請求項２２記載の方法。
【請求項２４】
物理アップリンク共有チャネル（ＰＵＳＣＨ）送信のために、未使用のリソースをスケジューリングすることをさらに含む請求項２３記載の方法。
【請求項２５】
通信装置において、
複数のサブフレームからの制御チャネルを受信するための命令と、第１のシンボルマップ中に位置していて、アップリンクチャネルに対して予約されているリソースに関係する第１の制御チャネルエレメントを有する前記制御チャネルを、サブフレームにわたって処理するための命令と、前記リソースを割り振るために、シンボルの第１のマッピング、または、混合シンボル／サブフレームの第１のマッピングを処理するための命令とを保持するメモリと、
前記命令を実行するプロセッサとを具備する通信装置。
【請求項２６】
通信装置において、
１つ以上のサブフレームからの複数の制御チャネルを処理する手段と、
第１のシンボルマップ中に位置していて、アップリンクチャネルに対して予約されているリソースに関係する第１の制御チャネルエレメントを有する前記制御チャネルを、ダウンリンクサブフレームから受信する手段と、
前記リソースを処理するために、シンボルの第１のマッピング、または、混合シンボル／サブフレームの第１のマッピングを処理する手段とを具備する通信装置。
【請求項２７】
コンピュータ読み取り可能媒体において、
１つ以上のサブフレームからの複数の制御チャネルを処理することと、
予約されているリソースに関係する第１のシンボルマップ中に位置している第１の制御チャネルエレメントを有する前記制御チャネルを、ダウンリンクサブフレームにわたって受信することと、
前記リソースを割り振るために、シンボルの第１のマッピング、または、混合シンボル／サブフレームの第１のマッピングを処理することとを含むコンピュータ読み取り可能媒体。
【請求項２８】
プロセッサにおいて、
複数のサブフレームからの複数の制御チャネルを監視するための命令と、
予約されているリソースに関係する第１のシンボルマップ中に位置している第１の制御チャネルエレメントを有する前記制御チャネルを、ダウンリンクサブフレームにわたって受信するための命令と、
前記リソースを分配するために、シンボルの第１のマッピング、または、混合シンボル／サブフレームの第１のマッピングを処理するための命令とを実行するプロセッサ。
【発明の詳細な説明】
【関連出願に対する相互参照】
【０００１】
本出願は、“Ｅ−ＵＴＲＡＮにおけるＴＤＤに対するＵＬ ＡＣＫ／ＮＡＣＫリソース割り振りの方法”と題し、２００８年５月２日に出願されている米国仮特許出願番号第６１／０４９，８２７号の利益を主張し、この全体は、参照によりここに組み込まれている。
【背景】
【０００２】
Ｉ．分野
下記の説明は、一般的に、ワイヤレス通信システムに関連し、さらに詳細には、柔軟なシンボルマッピング方法によって、効率的に割り振ることに関連している。
【０００３】
ＩＩ．背景
音声、データ等のような、さまざまなタイプの通信コンテンツを提供するために、ワイヤレス通信システムが広範囲に展開されている。これらのシステムは、利用可能なシステムリソース（例えば、帯域幅および送信電力）を共有することによって、複数のユーザとの通信をサポートすることができる多元接続システムであってもよい。このような多元接続ネットワークの例は、コード分割多元接続（ＣＤＭＡ）システムや、時間分割多元接続（ＴＤＭＡ）システムや、周波数分割多元接続（ＦＤＭＡ）システムや、Ｅ−ＵＴＲＡを含む３ＧＰＰロングタームエボリューション（ＬＴＥ）システムや、直交周波数分割多重接続（ＯＦＤＭＡ）システムを含む。
【０００４】
直交周波数分割多重（ＯＦＤＭ）通信システムは、効率的に、全システム帯域幅を複数（ＮF個）の副搬送波に区分する。これらの副搬送波は、周波数サブチャネル、トーン、または周波数ビンとも呼ばれることがある。ＯＦＤＭシステムの場合、送信されるデータ（すなわち、情報ビット）は、コード化されたビットを発生させるための特定のコーディングスキームにより最初にエンコードされ、コード化されたビットは、複数のビットシンボルにさらにグループ化され、この複数のビットシンボルは、変調シンボルにマッピングされる。それぞれの変調シンボルは、データ送信のために使用される特定の変調スキーム（例えば、Ｍ−ＰＳＫまたはＭ−ＱＡＭ）によって規定されている信号配列におけるポイントに対応している。それぞれの周波数副搬送波の帯域幅に依存しているかもしれないそれぞれの時間間隔で、変調シンボルは、ＮF個の周波数副搬送波のそれぞれの周波数副搬送波上で送信されてもよい。したがって、システム帯域幅にわたって、異なる量の減衰によって特徴付けられている、周波数選択性フェーディングによって生じる相互シンボル干渉（ＩＳＩ）に対処するために、ＯＦＤＭを使用してもよい。
【０００５】
一般的に、ワイヤレス多元接続通信システムは、同時に、複数のワイヤレス端末に対する通信をサポートすることができる。複数のワイヤレス端末は、フォワードおよびリバースリンク上での送信を通して、１つ以上の基地局と通信する。フォーワードリンク（またはダウンリンク）は、基地局から端末への通信リンクのことを意味し、リバースリンク（またはアップリンク）は、端末から基地局への通信リンクのことを意味する。この通信リンクは、単一入力単一出力、複数入力単一出力、単一入力複数出力または複数入力複数出力（ＭＩＭＯ）システムによって確立されてもよい。
【０００６】
ＭＩＭＯシステムは、データ送信のために、複数（ＮＴ本）の送信アンテナおよび複数（ＮＲ本）の受信アンテナを使用する。ＮＴ本の送信アンテナおよびＮＲ本の受信アンテナによって形成されるＭＩＭＯチャネルは、ＮＳ個の独立チャネルに分解されてもよく、これを空間チャネルとも呼び、ここでは、ＮS≦min｛ＮT,ＮR｝である。一般的に、ＮＳ個の独立チャネルのそれぞれは、次元に対応する。複数の送信および受信アンテナによって生成されるさらなる次元が利用される場合、ＭＩＭＯシステムは、向上した性能（例えば、より高いスループットおよび／またはより高い信頼性）を提供できる。ＭＩＭＯシステムはまた、時分割デュプレックス（ＴＤＤ）および周波数分割デュプレックス（ＦＤＤ）システムをサポートする。ＴＤＤシステムでは、相互関係の原理によって、リーバスリンクチャネルからのフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントは、フォワードリンク上のビーム形成利得を抽出することができる。
【０００７】
上記のシステムの配備において考慮すべき１つの事は、ダウンリンク通信中にリソースをどのように割り当てるかに関する。リソースは、一般的に、リソースブロックの文脈内で発生され、一般的に、複数の副搬送波を消費する。したがって、リソースブロックの発生および送信の節約は、ワイヤレス通信の所望の機能である。このようなリソースが消費される１つの領域では、アップリンク（ＵＬ）ハンドシェークシーケンス中の複数の肯定応答（ＡＣＫ）のサポートの際である。ここで、ハンドシェークは、ダウンリンク（ＤＬ）サブフレーム送信に応答する。ＵＬ送信はまた、さらに、否定応答（ＮＡＣＫ）を含むことがあるので、ＡＣＫ／ＮＡＣＫという用語が使用されることが多い。周波数分割デュプレックス（ＦＤＤ）シナリオでは、ＵＬサブフレーム送信とＤＬサブフレーム送信との間で１対１リソースマッピングが存在するので、リソースの数が制御される。しかしながら、時分割デュプレックス（ＴＤＤ）シナリオでは、ＤＬサブフレームの数と、各ＵＬサブフレームの数との間に非対称な差が存在することがある。しかしながら、１対１マッピングを仮定する場合、このような非対称が、リソースの非効率な割り振りの原因となることがある。
【概要】
【０００８】
以下では、この観点の基本的な理解を提供するために、１つ以上の観点の簡略化した概要を示している。この概要は、すべて検討した観点の多彩な概略ではなく、すべての観点の重要なまたは不可欠なエレメントを識別することにも、何らかの観点またはすべての観点の範囲を詳細に述べることにも向けられていない。この唯一の目的は、後に示す詳細な説明の前置きとして、１つ以上の観点のうちのいくつかの概念を簡単な形態で示すことである。
【０００９】
時分割デュプレックスネットワークにおいて、アップリンク肯定／否定（ＡＣＫ／ＮＡＣＫ）応答を柔軟かつ効率的にマッピングするためのシステムおよび方法を提供する。ダウンリンクチャネル通信とアプリンクチャネル通信との間の非対称の相違点に対処するさまざまなシンボルマッピング方法を提供する。ここで、非対称は、ダウンリンクサブフレームが、アップリンクサブフレームの数よりも多いときに生じる。１つの態様では、シンボルの第１のマッピングアプローチを提供する。これは、第１のシンボルマップ中に位置していて、アップリンクチャネルに対する予約されたリソースに関係する第１の制御チャネルエレメント（ＣＣＥ）を有するダウンリンク制御チャネルを、ダウンリンクサブフレームにわたって順序付けることを含み、ここでは、このようなリソースは、ＡＣＫ／ＮＡＣＫ応答に関係するリソースブロックを含むことができる。第１の順序付けの後、第２のＯＦＤＭシンボル中に第１のＣＣＥを有するダウンリンク制御チャネルを順序付けることが続いて、第３のＯＦＤＭシンボル中に第１のＣＣＥを有するダウンリンク制御チャネルを順序付けること等が必要に応じて続く。別の態様では、混合シンボル、サブフレームの第１のマッピングを適用できる。シンボルの第１のマッピングと同様、サブフレームの第１のマッピングは、第１のシンボルマップ中に位置していて、アップリンクチャネルに対する予約されているリソースに関係する第１の制御チャネルエレメント（ＣＣＥ）を有するダウンリンク制御チャネルを、ダウンリンクサブフレームにわたって順序付けることを含む。サブフレームの第１のマッピングは、第１のダウンリンクサブフレーム中で、第１のＣＣＥに関係付けられていない残りのダウンリンク制御チャネルを順序付ける。この後に、第２のダウンリンクサブフレーム中等で、第１のＣＣＥに、または、第１のダウンリンクサブフレームに関係付けられていない残りのダウンリンク制御チャネルを順序付けることが続くことができる。
【００１０】
先述の関連した目的の達成のために、詳細な説明および添付した図面とともに、いくつかの実例的な態様をここに記述する。しかしながら、これらの観点は、ほんの数例のさまざまな方法を示しているにすぎず、ここでは、さまざまな実施形態の原理を使用でき、この記述した実施形態はこのようなすべての観点およびこれらの均等物を含むことを意図している。他の利点および新規な特徴は、図面と一緒に考慮したときに以下の詳細な説明から明らかになる。
【図面の簡単な説明】
【００１１】
【図１】図１は、ワイヤレス通信システムにおけるリソースの割り振りを容易にするためにシンボルマッピングコンポーネントを使用する、システムのハイレベルブロック図である。
【図２】図２は、リソースの効率的な割り振りのための、シンボルの第１のマッピングを図示しているブロック図である。
【図３】図３は、リソースの効率的な割り振りのための、混合シンボルおよびサブフレームの第１のマッピングに図示しているブロック図である。
【図４】図４は、リソースの効率的な割り振りのための、サブフレームの第１のマッピングを図示しているブロック図である。
【図５】図５は、ワイヤレス通信システムにおけるリソースの割り振りを容易にするための、シンボルマッピングを使用するワイヤレス通信方法を図示している。
【図６】図６は、ワイヤレスシンボルマッピングに対する例示的な論理モジュールを図示している。
【図７】図７は、代替的なワイヤレスシンボルマッピングプロセスに対する例示的な論理モジュールを図示している。
【図８】図８は、ワイヤレスシンボルマッピングを使用する例示的な通信装置を図示している。
【図９】図９は、複数のアクセスワイヤレス通信システムを図示している。
【図１０】図１０は、例示的な通信システムを図示している。
【図１１】図１１は、例示的な通信システムを図示している。
【詳細な説明】
【００１２】
アップリンク肯定応答／否定応答（ＡＣＫ／ＮＡＣＫ）シーケンス間に、効率的にリソースを割り振るためのシステムおよび方法を提供する。１つの態様では、ワイヤレス通信のためのリソースを割り振るための方法を提供する。方法は、複数のサブフレームからのダウンリンク制御チャネルをグループ化することと、第１のシンボルマップ中に位置していて、アップリンクチャネルに対して予約されているリソースに関係する第１の制御チャネルエレメントを有するダウンリンク制御チャネルを、ダウンリンクサブフレームにわたって順序付けることとを含む。方法は、リソースを効率的に割り振るために、シンボルの第１のマッピング、または、混合シンボル／サブフレームの第１のマッピングを使用する。
【００１３】
図１を参照すると、ワイヤレス通信システム１００におけるリソースの効率的な割り振りを容易にするために、シンボルマッピングコンポーネントを使用している。システム１００は、１つ以上の（ノード、進化ノードＢ−ｅＮＢとも呼ばれる）基地局１２０を含む。基地局１２０は、ワイヤレスネットワーク１１０を通して、第２のデバイス１３０（すなわち、デバイス）と通信する能力があるエンティティとすることができる。例えば、それぞれのデバイス１３０は、（端末、ユーザ機器、移動性管理エンティティ（ＭＭＥ）、または移動体デバイスとも呼ばれる）アクセス端末とすることができる。基地局１２０は、ダウンリンク（ＤＬ）１４０を通してデバイス１３０と通信し、アップリンク（ＵＬ）１５０を通してデータを受信する。デバイス１３０は、ダウンリンクを通してデータを送信したり、アップリンクチャネルを通してデータを受信したりすることもできるので、このようなアップリンクおよびダウンリンクとしての指定は任意である。２つのコンポーネント１２０および１３０を示しているが、２つより多いコンポーネントをネットワーク１１０上で使用できることに留意されたい。また、ここで記述するシンボルマッピングのために、ネットワーク１１０上で、このような付加的なコンポーネントを適合できる。１つの態様では、シンボル１７０を、順序付けする、順番に並べる、またはマッピングして、ＡＣＫ／ＮＡＣＫリソース１８０のようなリソースの割り振りを制御するために、シンボルマッピングコンポーネント１６０を使用する。デバイス１３０（すなわちデバイス）は、マッピングされたシンボル１７０およびリソース１８０を処理するための、マッピングシンボルデコーダ１９０を備えている。図２ないし図４を参照して以下でさらに詳細に記述するように、シンボルマッピングコンポーネント１６０は、シンボルの第１のマッピング方法、混合シンボル／サブフレーム第１のマッピング方法、または、サブフレームの第１のマッピング方法を備えることができる。先に進む前に、簡潔にするために、さまざまな頭字語を用いることに留意されたい。頭字語についは、明細書の末尾に規定した。
【００１４】
一般的に、ＵＬリソース割り振りは、ＵＬサブフレームおよびＤＬサブフレームの数を考慮しなければならない。１つの事例では、ｎDL≦ｎULであるときの、アップリンクＡＣＫ／ＮＡＣＫリソース割り振りを考察する。ここで、ｎDLは、所定のアップリンク−ダウンリンク構成に対する、ダウンリンクサブフレームの数であり、ｎULはアップリンクサブフレームの数である。ＴＤＤにおける、ＤＬ ＰＤＣＣＨの第１の制御チャネルエレメント（ＣＣＥ）に対するＵＬ ＡＣＫ／ＮＡＣＫの暗黙的マッピングは、ｎDL≦ｎULであるときに、ＦＤＤにおけるものと類似して処理することができる。ｎDLは特別なサブフレームを含んでいることに留意されたい。ｎDL＞ｎULであるときのＵＬ ＡＣＫ／ＮＡＣＫリソース割り振りについては、非対称のケースが考えられる。非対称ケースでは、ＤＬサブフレームの数がＵＬサブフレームより多く、１つのＵＬサブフレーム内で、ＵＬ ＡＣＫ／ＮＡＣＫは複数のＤＬサブフレームに応答する。ＤＬサブフレームは、特別なサブフレームを含むことに留意されたい。
【００１５】
一般的に、システム１００は、（ＦＤＤにも適応できる）時分割デュプレックスネットワークにおいて、アップリンク肯定／否定（ＡＣＫ／ＮＡＣＫ）応答を柔軟かつ効率的にマッピングする。ダウンリンクチャネル通信とアップリンクチャネル通信との間の非対称の相違点に対処するさまざまなシンボルマッピング方法を提供する。非対称は、ダウンリンクサブフレームがアップリンクサブフレームの数より多いときに生じる。１つの態様では、シンボルの第１のマッピングアプローチを提供する。このアプローチは、第１のシンボルマップ中に位置していて、アップリンクチャネルに対して予約されているリソースに関係する第１の制御チャネルエレメント（ＣＣＥ）を有するダウンリンク制御チャネルを、ダウンリンクサブフレームにわたって順序付けることを含む。ここで、このようなリソースは、ＡＣＫ／ＮＡＣＫ応答に関係付けるリソースブロックを含むことがある。第１の順序付けの後に、第２のＯＦＤＭシンボル中で、第１のＣＣＥを有するダウンリンク制御チャネルの順序付けが続き、第３のＯＦＤＭシンボル中で、第１のＣＣＥを有するダウンリンク制御チャネルの順序付け等が必要に応じて続く。図２に関して、シンボルの第１のマッピングアプローチについてさらに詳細に記述する。
【００１６】
別の態様では、混合シンボル、サブフレームの第１のマッピングを適用することができる。シンボルの第１のマッピングに類似して、サブフレームの第１のマッピングは、第１のシンボルマップ中に位置していて、アップリンクチャネルに対して予約されているリソースに関係する第１の制御チャネルエレメント（ＣＣＥ）を有するダウンリンク制御チャネルを、ダウンリンクサブフレームにわたって順序付けることを含む。サブフレームの第１のマッピングは、第１のダウンリンクサブフレーム中で、第１のＣＣＥに関係付けられていない残りのダウンリンク制御チャネルを順序付ける。この後に、第２のダウンリンクサブフレーム中で、第１のＣＣＥまたは第１のダウンリンクサブフレームに関係付けられていない残りのダウンリンク制御チャネルを順序付けること等が続く。図３に関して、混合シンボルサブフレームの第１のマッピングをさらに詳細に記述する。図４に関して、サブフレームの第１のマッピングを記述する。
【００１７】
システム１００は、アクセス端末または移動体デバイスとともに使用でき、例えば、ＳＤカード、ネットワークカード、ワイヤレスネットワークカード、（ラップトップ、デスクトップ、パーソナルデジタルアシスタント（ＰＤＡ）を含む）コンピュータ、移動電話機、スマートフォン、またはネットワークにアクセスするために利用できる他の何らかの適した端末のようなモジュールであることがあることに留意されたい。端末は、（示していない）アクセスコンポーネントによってネットワークにアクセスする。１つの例では、端末とアクセスコンポーネントとの間の接続は、実際にはワイヤレスであってもよく、この接続では、アクセスコンポーネントは基地局であってもよく、移動体デバイスはワイヤレス端末である。例えば、端末および基地局は、何らかの適したワイヤレスプロトコルによって通信してもよく、このワイヤレスプロトコルには、時分割多元接続（ＴＤＭＡ）、コード分割多元接続（ＣＤＭＡ）、周波数分割多元接続（ＦＤＭＡ）、直交周波数分割多重（ＯＦＤＭ）、ＦＬＡＳＨ ＯＦＤＭや、直交周波数分割多元接続（ＯＦＤＭＡ）、または他の何らかの適したプロトコルを含んでいてもよいが、これらに限定されるものではない。
【００１８】
アクセスコンポーネントは、ワイヤードネットワークまたはワイヤレスネットワークに関係するアクセスノードとすることができる。そのため、アクセスコンポーネントは、例えば、ルータや、スイッチや、これらに類するものとすることができる。アクセスコンポーネントは、他のネットワークノードと通信するために、１つ以上のインターフェース、例えば、通信モジュールを備えることができる。さらに、アクセスコンポーネントは、セルラタイプネットワークにおける基地局（または、ワイヤレスアクセスポイント）とすることができ、ここで、基地局（または、ワイヤレスアクセスポイント）は、ワイヤレスカバレージエリアを複数の加入者に提供するために利用される。このような基地局（または、ワイヤレスアクセスポイント）は、１つ以上のセルラ電話機および／または他のワイヤレス端末に隣接エリアのカバレージを提供するように配置できる。
【００１９】
図２を参照すると、システム２００は、リソースの効率的な割り振りのための、シンボルの第１のマッピングコンポーネント２１０を提供している。一般的に、２２０において、第１のＯＦＤＭシンボル中に位置している第１の制御チャネルエレメント（ＣＣＥ）を有するＰＤＣＣＨが、順序付けられる。この後に、２２０では、第２のＯＦＤＭシンボル中に位置している第１の制御チャネルエレメント（ＣＣＥ）として順序付けられているＰＤＣＣＨが続き、２３０では、第３のＯＦＤＭシンボル中に位置している第１の制御チャネルエレメント（ＣＣＥ）として順序付けられているＰＤＣＣＨが続く等である。
【００２０】
サブフレームの第１のアプローチは、ＤＬ ＰＤＣＣＨリソースを非効率に利用する代償として、ＰＵＣＣＨは未使用で終わるかもしれないし、または、スケジューラにおいて厳しい制約が課せられるかもしれない（図４参照）。これらの制約を克服するために、柔軟な代替実施形態を提供する。この代替実施形態をＯＦＤＭシンボルの第１のマッピングと呼び、以下で説明する。
【００２１】
複数のサブフレーム中のＤＬ ＰＤＣＣＨを一緒にグループ化する。図２に示したように、ＵＬ動的ＡＣＫ／ＮＡＣＫに対して予約されているリソースの帯域端に対する第１のＯＦＤＭシンボルマップ中にＰＤＣＣＨの第１のＣＣＥが位置付けられているＰＤＣＣＨがＤＬサブフレームにわたるような方法でＰＤＣＣＨを再順序付ける。この順序付けの後に、ＰＤＣＣＨの第１のＣＣＥが第２のＯＦＤＭシンボル中に位置付けられているＰＤＣＣＨ、ＰＤＣＣＨの第１のＣＣＥがマッピングされた第３のＯＦＤＭシンボル中に位置付けられているＰＤＣＣＨがマッピングされること等が続く。ＤＬサブフレームのうちのいくつかが（Ｎが正の整数である）Ｎ個のＡＣＫ／ＮＡＣＫリソースを使い切らない場合には、シンボルの第１のマッピングでは、ＡＣＫ送信に対する、予約されている帯域中の未使用のリソースのうちのいくつかを、ＰＵＳＣＨ送信のためにｅＮＢによってＯＦＤＭスケジューリングできる。
【００２２】
（Ｍが正の整数である）Ｍ個のＤＬ：１個のＵＬの非対称パターンを例として考察する。第１のＤＬサブフレームでは、ＰＤＣＣＨ領域は３個のＯＦＤＭシンボルにわたる一方で、他のＭ−１個のサブフレームは、ＰＤＣＣＨ送信のために、２個のＯＦＤＭシンボルを使用すると仮定する。各ＯＦＤＭシンボル中のＰＤＣＣＨに対しておおよそＮ／３で、３個のＯＦＤＭシンボルに対するＰＤＣＣＨスパンをサポートするために、Ｎ個のＡＣＫ／ＮＡＣＫリソースが必要であると仮定する。ＡＣＫリソース予約は半静的に構成されており、したがって、各構成期間に対して可能性ある最大のＰＤＣＣＨ時間スパンをカバーしなれければならないために、ＡＣＫリソース予約は、各ＤＬサブフレーム中で、３個のＯＦＤＭシンボル送信を仮定するだろう。
【００２３】
サブフレームの第１のマッピングでは、第１のＤＬサブフレームは最初のＮ個のＡＣＫ／ＮＡＣＫリソースを使うだろう。ＰＤＣＣＨスパンは３個の代わりに２個のＯＦＤＭシンボルであるので、第２のＤＬサブフレームは、Ｎ個すべてのリソースを使い切ることができない。しかしながら、それぞれのＤＬサブフレームがＮ個すべてのＡＣＫリソースを使い切ると第３のＤＬサブフレームの暗黙的マッピングが仮定しているので、対応するＡＣＫリソースを自由化することができない。最後のＤＬサブフレームに対しては、これ以上暗黙的マッピングを伴わないので、ＰＵＳＣＨ送信により、対応する未使用のＡＣＫリソースを使用することができる。ＯＦＤＭシンボルの第１のマッピングでは、Ｍ個のＤＬサブフレームが、最初のＮ＋２（Ｍ−１）Ｎ／３個のＡＣＫ／ＮＡＣＫリソースを使用し、残りの（Ｍ−１）Ｎ／３個のリソースは未使用のまま残って、ＰＵＳＣＨ送信のために使用することができる。しかしながら、ＯＦＤＭシンボルの第１のマッピングでは、第１のＤＬサブフレームが、３個のＯＦＤＭシンボルを利用してＰＤＣＣＨを送信する一方で、他のＤＬサブフレームに対しては、ＰＤＣＣＨスパンが１個のＯＦＤＭシンボルであり、所望の暗黙的マッピングを行うためには、ＡＣＫリソースのうちのいくつかを無駄にすることがあり、ＰＤＣＣＨの第１のＣＣＥが第２のＯＦＤＭシンボル中に位置しているＰＤＣＣＨに対応するＡＣＫリソースは自由化することができない。
【００２４】
図３を参照すると、システム３００は、リソースの効率的な割り振りのための、混合シンボルおよびサブフレームの第１のマッピングコンポーネント３１０を提供する。図２に記述した第１の順序付けに類似して、３２０では、第１のＯＦＤＭシンボルに位置している第１の制御チャネルエレメント（ＣＣＥ）を有するＰＤＣＣＨを順序付けし、この後に、第１のＤＬサブフレーム中の残りのＰＤＣＣＨが続く。３３０および３４０において、第２のＤＬサブフレームおよび第３のＤＬサブフレーム中で、残りのＰＤＣＣＨを必要に応じて順序付ける。
【００２５】
先に説明したように、ＯＦＤＭシンボルの第１のマッピングは、結果的に、ＡＣＫリソースの非効率となる何らかの可能性があり、この観点で、混合したアプローチを提供し、このアプローチを「混合ＯＦＤＭシンボルおよびサブフレームの第１のマッピング」と表す。
【００２６】
最初に、複数のサブフレーム中のＤＬ ＰＤＣＣＨを一緒にグループ化する。上記に類似して、ＵＬ動的ＡＣＫ／ＮＡＣＫに対して予約されているリソースの帯域端に対する第１のＯＦＤＭシンボルマップ中にＰＤＣＣＨの第１のＣＣＥが位置付けられるＰＤＣＣＨが、すべてのＤＬサブフレームにわたるような方法で、これらのＰＤＣＣＨを再順序付けする。このシーケンスの後に、第１のＤＬサブフレーム中の残りのＰＤＣＣＨが続き、第２のサブフレーム中で残りのＰＤＣＣＨが続く等して、これは、それぞれ３３０および３４０に示している。
【００２７】
図２に関して上述した例と同じ、Ｍ個のＤＬ：１個のＵＬの非対称パターンを考察する。第１のＤＬサブフレーム中で、ＰＤＣＣＨ領域は３個のＯＦＤＭシンボルにわたる一方、他のＭ−１サブフレームは、ＰＤＣＣＨの送信のために、１個のＯＦＤＭシンボルを使用すると仮定する。各ＯＦＤＭシンボル中のＰＤＣＣＨに対しておおよそＮ／３で、３個のＯＦＤＭシンボルに対するＰＤＣＣＨスパンをサポートするために、Ｎ個のＡＣＫ／ＮＡＣＫリソースが必要であると仮定する。ＡＣＫリソース予約は、半静的に構成されており、したがって、それぞれの構成期間に対して可能性ある最大のＰＤＣＣＨ時間スパンをカバーしなければならないために、ＡＣＫリソース予約は、各ＤＬサブフレーム中で、３個のＯＦＤＭシンボル送信を仮定するだろう。
【００２８】
サブフレームの第１のマッピングでは、第１のＤＬサブフレームは、最初のＮ個のＡＣＫ／ＮＡＣＫリソースを使うだろう。ＰＤＣＣＨスパンは、３個の代わりに１個のＯＦＤＭシンボルであるので、第２のＤＬサブフレームは、Ｎ個のリソースを使い切ることができない。しかしながら、それぞれのＤＬサブフレームがＮ個のＡＣＫリソースを使い切ると第３のＤＬサブフレームの暗黙的マッピングが仮定しているので、対応するＡＣＫリソースを自由化することができない。最後のＤＬサブフレームに対しては、これ以上、暗黙的マッピングを伴わないので、ＰＵＳＣＨ送信によって、対応する未使用のＡＣＫリソースを使用することができる。ＯＦＤＭシンボルの第１のマッピングでは、Ｍ個のＤＬサブフレームが、最初のＮ＋２（Ｍ−１）Ｎ／３個のＡＣＫ／ＮＡＣＫリソースを利用するであろうし、残りの（Ｍ−１）Ｎ／３個のリソースは未使用のまま残って、ＰＵＳＣＨ送信のために使用することができる。Ｍ−１個のサブフレームでさえも、ＰＤＣＣＨ送信のために、２個の代わりに１個のＯＦＤＭを使用するので、同一の数のＡＣＫリソースが使用されることに留意されたい。混合アプローチでは、Ｍ個のＤＬサブフレームが、最初のＮ＋（Ｍ−１）Ｎ／３個のＡＣＫ／ＮＡＣＫリソースを使うだろうし、残りの２（Ｍ−１）Ｎ／３個のリソースは未使用のまま残し、ＰＵＳＣＨ送信のために使用することができる。
【００２９】
図４を参照すると、システム４００は、リソースの割り振りのための、サブフレームの第１のマッピングコンポーネント４１０を図示している。非対称的な構成では、それぞれのＵＬサブフレームは、複数のサブフレームに対応しているＡＣＫ／ＮＡＣＫを送るだろう。３２０ないし３４０において示したように、サブフレームの第１のマッピングアプローチは、それぞれ、１つのサブフレームごとにＤＬ ＰＤＣＣＨをマッピングする。すなわち、第１のＤＬサブフレームは、最初のＮ個のＡＣＫ／ＮＡＣＫリソースを使い、その後、第２のＤＬサブフレームが使う等である。非対称構成に依存して、ＵＬ ＡＣＫリソースは、ＦＤＤシステムにおいて必要されるもののＭ倍となるだろう。ここで、Ｍは、（Ｍ ＤＬ対１ ＵＬ）非対称の数である。
【００３０】
オーバーヘッドを減少させるために、複数のＤＬサブフレームにわたるＤＬ ＰＤＣＣＨの総数よりも少なくＡＣＫリソースの総数を構成することができる。しかしながら、これは、１つのＤＬサブフレーム中のＰＤＣＣＨのうちのいくつかが、別のサブフレーム中の他の何らかのＰＤＣＣＨと衝突するであろうことを暗に示すので、スケジュールは制約を考慮に入れる。このことはまた、異なるサブフレームにわたるＰＤＣＣＨが共存できないかもしれないので、ＰＤＣＣＨリソース上で、ある無駄が課せられることを暗に示す。別の態様では、それぞれのＤＬサブフレームにおけるＰＤＣＣＨの数は、ＰＣＦＩＣＨに基づく動的な数であるので、ＵＬ ＡＣＫリソース予約の間、そのサブフレームにおけるアクティブなユーザ／バッファサイズは、半静的である。したがって、ＤＬサブフレームのうちのいくつかがＮ個のＡＣＫ／ＮＡＣＫリソースを使い切らない場合には、予約されている帯域幅は利用されない。
【００３１】
これから図５を参照すると、ワイヤレス通信方法論５００を図示している。説明を簡潔にする目的のために、方法論（および、ここで記述する他の方法論）を一連の動作として説明および記述しているが、いくつかの動作が、１つ以上の実施形態にしたがって、ここで説明および記述した順序とは異なった順序で、および／または、他の動作と同時に行われることがあるので、動作の順序によって方法論が限定されないことを理解および正しく認識すべきである。例えば、状態図等において、一連の相関状態またはイベントとして方法論を代替的に表すことができることを、当業者は理解および正しく認識するだろう。さらに、クレームした主題事項にしたがって方法論を実現するために、すべての図示した動作を利用するわけではない。
【００３２】
５１０に進むと、複数のサブフレームからのダウンリンク制御チャネル（例えば、ＰＤＣＣＨ）をグループ化する。５２０において、アップリンクＡＣＫ／ＮＡＣＫに対して予約されているリソースの帯域端に対する第１のＯＦＤＭシンボルマップ中に位置している第１の制御チャネルエレメント（ＣＣＥ）を有する制御チャネルが、サブフレームにわたるように制御チャネルを再順序付けする。５２０の後に、少なくとも３つの代替的な処理アプローチを、個々に、および／または、異なる組み合わせで適用できる。５３０において、第１の処理アプローチは、図２に関して先に記述したような、ＯＦＤＭシンボルの第１のマッピングを使用する。５４０において、代替的な処理アプローチは、図３に関して記述したような、混合ＯＦＤＭシンボルおよびサブフレームの第１のマッピングを利用する。５５０において、第３のアプローチは、代替的に適用できるサブフレームの第１のマッピングプロセスである。
【００３３】
ここで記述した技術は、さまざまな手段によって実現されてもよい。例えば、これらの技術は、ハードウェアで、ソフトウェアで、または、これらを組み合わせたもので実現されてもよい。ハードウェアインプリメンテーションの場合、処理ユニットは、１つ以上の、特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここに記述した機能を実行するように設計されている他の電子ユニット、または、これらを組み合わせたものの内で実現されてもよい。ソフトウェアにより、ここで記述した機能を実行するモジュール（例えば、手順、機能等）を通したインプリメンテーションであってもよい。ソフトウェアコードはメモリユニット中に記憶され、プロセッサにより実行されてもよい。
【００３４】
これから図６および図７を参照すると、ワイヤレス信号処理に関連するシステムを提供している。一連の相互関係がある機能ブロックとして、システムを表している。一連の相互関係がある機能ブロックは、プロセッサにより、ソフトウェアにより、ハードウェアにより、ファームウェアにより、または、これらの何らかの適した組み合わせにより実現される機能を表すことができる。
【００３５】
図６を参照すると、ワイヤレス通信システム６００を提供している。システム６００は、１つ以上のサブフレームからの複数の制御チャネルを処理する論理モジュール６０２と、第１のシンボルマップ中に位置していて、アップリンクチャネルに対して予約されているリソースに関係する第１の制御チャネルエレメントを有する制御チャネルを、ダウンリンクサブフレームにわたって順番に並べる論理モジュール６０４とを備えている。システム６００はまた、リソースを処理するために、シンボルの第１のマッピング、または、混合シンボル／サブフレームの第１のマッピングを発生させる論理モジュール６０６を備えている。
【００３６】
図７を参照すると、ワイヤレス通信システム７００を提供している。システム７００は、１つ以上のサブフレームからの複数の制御チャネルを処理する論理モジュール７０２と、第１のシンボルマップ中に位置していて、アップリンクチャネルに対して予約されているリソースに関係する第１の制御チャネルエレメントを有する制御チャネルを、ダウンリンクサブフレームから受信する論理モジュール７０４とを備えている。システム７００はまた、リソースを処理するために、シンボルの第１のマッピング、または、混合シンボル／サブフレームの第１のマッピングを処理する論理モジュール７０６を備えている。
【００３７】
図８は、通信装置８００を図示しており、この通信装置８００は、例えば、ワイヤレス端末のようなワイヤレス通信装置とすることができる。さらに、または、代替的に、通信装置８００は、ワイヤードネットワーク内に常駐できる。通信装置８００は、ワイヤレス通信端末において信号解析を実行するための命令を保持できるメモリ８０２を備えることができる。さらに、通信装置８００は、メモリ８０２内の命令、および／または、別のネットワークデバイスから受信した命令を実行できるプロセッサ８０４を備えていてもよい。ここで、命令は、通信装置８００または関連する通信装置を構成あるいは動作することに関連することができる。
【００３８】
図９を参照すると、複数のアクセスワイヤレス通信システム９００を図示している。複数のアクセスワイヤレス通信システム９００は、セル９０２、９０４、および９０６を含む複数のセルを含む。システム９００の態様では、セル９０２、９０４、および９０６は、複数のセクタを含むノードＢを含んでいてもよい。それぞれのアンテナが、セルの一部におけるＵＥとの通信に関与しているアンテナのグループにより、複数のセクタを形成することができる。例えば、セル９０２では、アンテナグループ９１２、９１４、および９１６は、それぞれ、異なるセクタに対応していてもよい。セル９０４では、アンテナグループ９１８、９２０、および９２２は、それぞれ、異なるセクタに対応している。セル９０６では、アンテナグループ９２４、９２６、および９２８は、それぞれ、異なるセクタに対応している。セル９０２、９０４、および９０６は、いくつかのワイヤレス通信デバイス、例えば、ユーザ機器またはＵＥを含むことができ、このワイヤレス通信デバイスは、それぞれのセル９０２、９０４、または９０６のうちの１つ以上のセクタと通信していることがある。例えば、ＵＥ９３０および９３２は、ノードＢ９４２と通信していることがあり、ＵＥ９３４および９３６は、ノードＢ９４４と通信していることがあり、ＵＥ９３８および９４０は、ノードＢ９４６通信していることがある。
【００３９】
これから図１０を参照すると、１つの態様にしたがった、複数のアクセスワイヤレス通信システムを図示している。アクセスポイント１０００（ＡＰ）は、複数のアンテナグループを含み、１つは１００４および１００６を含み、他は１００８および１０１０を含み、さらには１０１２および１０１４を含む。図１０では、それぞれのアンテナグループに対して、アンテナを２本のみ示しているが、それぞれのアンテナグループに対して、より多くのアンテナ、または、より少ないアンテナを利用してもよい。アクセス端末１０１６（ＡＴ）は、アンテナ１０１２および１０１４と通信しており、ここで、アンテナ１０１２および１０１４は、フォワードリンク１０２０を通して、アクセス端末１０１６に情報を送信し、リバースリンク１０１８を通して、アクセス端末１０１６から情報を受信する。アクセス端末１０２２は、アンテナ１００６および１００８と通信しており、ここで、アンテナ１００６および１００８は、フォワードリンク１０２６を通して、アクセス端末１０２２に情報を送信し、リバースリンク１０２４を通して、アクセス端末１０２２から情報を受信する。ＦＤＤシステムでは、通信リンク１０１８、１０２０、１０２４、および１０２６は、通信のために、異なる周波数を使用してもよい。例えば、フォワードリンク１０２０は、その後リバースリンク１０１８により使用される異なる周波数を使用してもよい。
【００４０】
通信するように設計されている、アンテナおよび／またはエリアのそれぞれのグループは、アクセスポイントのセクタと呼ばれることが多い。アンテナグループは、それぞれ、アクセスポイント１０００によりカバーされているエリアのうちの、セクタ中のアクセス端末と通信するように設計されている。フォワードリンク１０２０および１０２６による通信では、異なるアクセス端末１０１６および１０２４に対するフォワードリンクの信号対ノイズ比を向上するために、アクセスポイント１０００の送信アンテナは、ビーム形成を利用する。また、そのカバレージエリア中でランダムに散在されているアクセス端末に送信するためにビーム形成を使用しているアクセスポイントは、すべてのアクセス端末に対して、単一のアンテナを通して送信するアクセス端末よりも、隣接セルにおけるアクセス端末に対して、より低い干渉を生じさせる。アクセスポイントは、端末と通信するために使用される固定局であってもよく、アクセスポイント、ノードＢ、または他の何らかの専門用語で呼ばれてもよい。アクセス端末は、アクセス端末、ユーザ機器（ＵＥ）、ワイヤレス通信デバイス、端末と呼ばれてもよく、または他のいくつかの専門用語で呼ばれてもよい。
【００４１】
図１１を参照すると、システム１１００は、ＭＩＭＯシステム１１００における、（アクセスポイントとしても知られている）送信機システム２１０、および、（アクセス端末としても知られている）受信機システム１１５０を図示している。送信機システム１１１０において、多数のデータストリームに対するトラフィックデータを、データ源１１１２から送信（ＴＸ）データプロセッサ１１１４に提供する。それぞれのデータストリームは、各送信アンテナを通して送信される。ＴＸデータプロセッサ１１１４は、そのデータストリームに対して選択された特定のコーディングスキームに基づいて、それぞれのデータストリームに対するトラフィックデータをフォーマット化し、コード化し、インターリーブして、コード化されたデータを提供する。
【００４２】
それぞれのデータストリームに対するコード化されたデータは、ＯＦＤＭ技術を使用して、パイロットデータにより多重化されてもよい。パイロットデータは、一般的に、既知の方法で処理され、チャネル応答を推定するために受信機システムにおいて使用されることもある、既知のデータパターンである。その後、そのデータストリームに対して選択された特定の変調スキーム（例えば、ＢＰＳＫ、ＱＳＰＫ、Ｍ−ＰＳＫ、またはＭ−ＱＡＭ）に基づいて、それぞれのデータストリームに対する、多重化されたパイロットおよびコード化されたデータを変調（すなわち、シンボルマッピング）し、変調シンボルを提供する。それぞれのデータストリームに対する、データレート、コード化、および変調を、プロセッサ１１３０により実行される命令により決定してもよい。
【００４３】
すべてのデータストリームに対する変調シンボルを、その後ＴＸ ＭＩＭＯプロセッサ１１２０に提供し、ＴＸ ＭＩＭＯプロセッサ１１２０は、さらに（例えば、ＯＦＤＭ等のために）変調シンボルをさらに処理してもよい。ＴＸ ＭＩＭＯプロセッサ１１２０は、その後、ＮＴ個の変調シンボルストリームをＮＴ個の送信機（ＴＭＴＲ）１１２２ａないし１１２２ｔに提供する。いくつかの実施形態では、ＴＸ ＭＩＭＯプロセッサ１１２０は、データストリームのシンボルに、および、シンボルが送信されているアンテナに、ビーム形成重み付けを適用する。
【００４４】
それぞれの送信機１１２２は、各シンボルストリームを受け取り、処理して、１つ以上のアナログ信号を提供し、アナログ信号をさらに調整（例えば、増幅、フィルタリング、アップコンバート）し、ＭＩＭＯチャネルを通した送信に適した変調信号を提供する。送信機１１２２ａないし１１２２ｔからのＮＴ個の変調信号は、それぞれ、ＮＴ本のアンテナ１１２４ａないし１１２４ｔから送信される。
【００４５】
受信機システム１１５０において、変調され送信された信号が、ＮＲ本のアンテナ１１５２ａないし１１５２ｔによって受信され、それぞれのアンテナ１１５２からの受信信号が、各受信機（ＲＣＶＲ）１１５４ａないし１１５４ｒに提供される。それぞれの受信機１１５４は、各受信信号を調整（例えば、フィルタリング、増幅、およびダウンコンバート）し、調整した信号をデジタル化して、サンプルを提供し、サンプルをさらに処理して、対応する「受信」シンボルストリームを提供する。
【００４６】
ＲＸデータプロセッサ１１６０は、特定の受信機処理技術に基づいて、ＮＲ個の受信機１１５４からＮＲ個の受信シンボルストリームを受け取り、処理して、ＮＴ“検出”シンボルストリームを提供する。ＲＸデータプロセッサ１１６０は、それぞれの検出したシンボルストリームを復調し、デインターリーブし、デコードして、データストリームに対するトラフィックデータを回復させる。ＲＸデータプロセッサ１１６０による処理は、送信機システム１１１０におけるＴＸ ＭＩＭＯプロセッサ１１２０およびＴＸ データプロセッサ１１１４によって実行される処理に対して相補的である。
【００４７】
プロセッサ１１７０は、周期的に、どのプレコーディングマトリックスを使用するかを決定する（以下で説明する）。プロセッサ１１７０は、マトリックスインデックス部分とランク値部分とを含むリバースリンクメッセージを公式化する。リバースリンクメッセージは、通信リンクおよび／または受信データストリームに関するさまざまなタイプの情報を含んでいてもよい。リバースリンクメッセージは、その後、ＴＸデータプロセッサ１１３８により処理される。ＴＸデータプロセッサ１１３８はまた、多数のデータストリームに対するトラフィックデータをデータ源１１３６から受け取り、これは、復調器１１８０により変調され、送信機１１５４ａないし１１５４ｒによって調整され、送信機システム１１１０に返信される。
【００４８】
送信機システム１１１０において、受信機システム１１５０により送信されたリバースリンクメッセージを抽出するために、受信機システム１１５０からの変調信号は、アンテナ１１２４により受信され、受信機１１２２により調整され、復調器１１４０により復調され、ＲＸデータプロセッサ１１４２により処理される。プロセッサ１１３０は、その後、ビーム形成重み付けを決定するために、どのプレコーディングマトリックスを使用するかを決定して、抽出したメッセージを処理する。
【００４９】
１つの態様では、論理チャネルは、制御チャネルおよびトラフィックチャネルに分類される。論理制御チャネルは、ブロードキャスト制御チャネル（ＢＣＣＨ）を含み、ブロードキャスト制御チャネルは、システム制御情報をブロードキャストするためのＤＬチャネルである。ページング制御チャネル（ＰＣＣＨ）は、ページング情報を伝送するＤＬチャネルである。マルチキャスト制御チャネル（ＭＣＣＨ）は、１つまたはいくつかのＭＴＣＨに対する、マルチメディアブロードキャストおよびマルチキャストサービス（ＭＢＭＳ）スケジューリングおよび制御情報を送信するために使用される、ポイントツーマルチポイントＤＬチャネルである。一般的に、ＲＲＣ接続を確立した後、このチャネルは、ＭＢＭＳを受信するＵＥによってのみ使用される（注：古いＭＣＣＨ＋ＭＳＣＨ）。専用制御チャネル（ＤＣＣＨ）は、専用制御情報を送信し、ＲＣＣ接続を有するＵＥにより使用される、ポイントツーポイント二方向チャネルである。論理トラフィックチャネルは、専用トラフィックチャネル（ＤＴＣＨ）を含む。専用トラフィックチャネル（ＤＴＣＨ）は、ユーザ情報の伝送のために、１つのＵＥ専用のポイントツーポイント二方向チャネルである。また、マルチキャストトラフィックチャネル（ＭＴＣＨ）は、トラフィックデータの送信のためのポイントツーマルチポイントＤＬチャネルのためのである。
【００５０】
伝送チャネルは、ＤＬおよびＵＬに分類される。ＤＬ伝送チャネルは、ブロードキャストチャネル（ＢＣＨ）とダウンリンク共有データチャネル（ＤＬ−ＳＤＣＨ）とページングチャネル（ＰＣＨ）とを含み、ＰＣＨは、（ＤＲＸサイクルは、ネットワークによりＵＥに示される）ＵＥの電力節約をサポートするためのものであり、セル全体にわたってブロードキャストされ、他の制御／トラフィックチャネルに対して使用できるＰＨＹリソースにマッピングされる。ＵＬ伝送チャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを含む。ＰＨＹチャネルは、１組のＤＬチャネルおよびＵＬチャネルを含む。
【００５１】
ＤＬ ＰＨＹチャネルは、例えば：共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および、負荷インジケータチャネル（ＬＩＣＨ）を含む。
【００５２】
ＵＬ ＰＨＹチャネルは、例えば：物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を含む。
【００５３】
他の用語／コンポーネント：３Ｇ 第３世代、３ＧＰＰ 第３世代パートナーシッププロジェクト、ＡＣＬＲ 隣接チャネル漏洩比、ＡＣＰＲ 隣接チャネル電力比、ＡＣＳ 隣接チャネル選択性、ＡＤＳ アドバンスド設計システム、ＡＭＣ 適応変調およびコーディング、Ａ−ＭＰＲ 付加的最大電力減少、ＡＲＱ 自動反復要求、ＢＣＣＨ ブロードキャスト制御チャネル、ＢＴＳ 基地トランシーバ局、ＣＤＤ 巡回遅延ダイバシティ、ＣＣＤＦ累積分布配布関数、ＣＤＭＡ 符号分割多元接続、ＣＦＩ 制御フォーマットインジケータ、Ｃｏ−ＭＩＭＯ 協調ＭＩＭＯ、 ＣＰ サイクリックプレフィックス、ＣＰＩＣＨ 共通パイロットチャネル、ＣＰＲＩ 共通公衆無線干渉、ＣＱＩ チャネル品質インジケータ、ＣＲＣ 巡回冗長性検査、ＤＣＩ ダウンリンク制御インジケータ、ＤＦＴ 離散フーリエ変換、ＤＦＴ−ＳＯＦＤＭ 離散フーリエ変換拡散ＯＦＤＭ、ＤＬ ダウンリンク（基地局から加入者局への送信）、ＤＬ−ＳＣＨ ダウンリンク共有チャネル、Ｄ−ＰＨＹ ５００Ｍｂｐｓ物理レイヤ、ＤＳＰ デジタル信号処理、ＤＴ 開発ツールセット、 ＤＶＳＡ デジタルベクトル信号解析、ＥＤＡ 電子設計自動化、Ｅ−ＤＣＨ 拡張した専用チャネル、Ｅ−ＵＴＲＡＮ 進化したＵＭＴＳ地上無線アクセスネットワーク、ｅＭＢＭＳ 進化したマルチメディアブロードキャストマルチキャストサービス、ｅＮＢ 進化ノードＢ、ＥＰＣ 進化したパケットコア、ＥＰＲＥ リソースエレメントあたりのエネルギー、ＥＴＳＩ 欧州電気通信標準規格機構、Ｅ−ＵＴＲＡ 進化ＵＴＲＡ、Ｅ−ＵＴＲＡＮ 進化ＵＴＲＡＮ、ＥＶＭ エラーベクトル振幅、およびＦＤＤ 周波数分割デュプレックスを含む。
【００５４】
さらに他の用語は、ＦＦＴ 高速フーリエ変換、ＦＲＣ 固定基準チャネル、ＦＳ１ フレーム構成タイプ１、ＦＳ２ フレーム構成タイプ２、ＧＳＭ（登録商標） グローバルシステムフォーモバイル通信、ＨＡＲＱ ハイブリッド自動反復要求、ＨＤＬ ハードウェア記述言語、ＨＩ ＨＡＲＱ インジケータ、ＨＳＤＰＡ 高速ダウンリンクパケットアクセス、ＨＳＰＡ 高速パケットアクセス、ＨＳＵＰＡ 高速アップリンクパケットアクセス、ＩＦＦＴ 逆ＦＦＴ、ＩＯＴ 相互運用テスト、ＩＰ インターネットプロトコル、ＬＯ ローカル振動子、ＬＴＥ ロングタームエボリューション、ＭＡＣ メディアアクセス制御、ＭＢＭＳ マルチメディアブロードキャストマルチキャストサービス、ＭＢＳＦＮ 単一周波数ネットワークによるマルチキャスト／ブロードキャスト、ＭＣＨ マルチキャストチャネル、ＭＩＭＯ 複数入力複数出力、ＭＩＳＯ 複数入力単一出力、ＭＭＥ 移動性管理エンティティ、ＭＯＰ 最大出力電力、ＭＰＲ 最大電力減少、ＭＵ−ＭＩＭＯ 複数ユーザＭＩＭＯ、ＮＡＳ 非アクセス層、ＯＢＳＡＩ 開放基地局アーキテクチャインターフェース、ＯＦＤＭ 直交周波数分割多重、ＯＦＤＭＡ 直交周波数分割多元接続、ＰＡＰＲ ピーク対平均電力比、ＰＡＲ ピーク対平均比、ＰＢＣＨ 物理ブロードキャストチャネル、Ｐ−ＣＣＰＣＨ 一次共通制御物理チャネル、ＰＣＦＩＣＨ 物理制御フォーマットインジケータチャネル、ＰＣＨ ページングチャネル、ＰＤＣＣＨ 物理ダウンリンク制御チャネル、ＰＤＣＰ パケットデータ収束プロトコル、ＰＤＳＣＨ 物理ダウンリンク共有チャネル、ＰＨＩＣＨ 物理ハイブリッドＡＲＱインジケータチャネル、ＰＨＹ 物理レイヤ、ＰＲＡＣＨ 物理ランダムアクセスチャネル、ＰＭＣＨ 物理マルチキャストチャネル、ＰＭＩ プレコーディングマトリクスインジケータ、Ｐ−ＳＣＨ 一次同期信号、ＰＵＣＣＨ 物理アップリンク制御チャネル、およびＰＵＳＣＨ 物理アップリンク共有チャネルを含む。
【００５５】
他の用語は、ＱＡＭ 直交振幅変調、ＱＰＳＫ ４相位相変調、ＲＡＣＨ ランダムアクセスチャネル、ＲＡＴ 無線アクセス技術、ＲＢ リソースブロック、ＲＦ 無線周波数、ＲＦＤＥ ＲＦ 設計環境、ＲＬＣ 無線リンク制御、ＲＭＣ 基準測定チャネル、ＲＮＣ 無線ネットワーク制御装置、ＲＲＣ 無線リソース制御、ＲＲＭ 無線リソース管理、ＲＳ  基準信号、ＲＳＣＰ 受信信号コード電力、ＲＳＲＰ 基準信号受信電力、ＲＳＲＱ 基準信号受信品質、ＲＳＳＩ 受信信号強度インジケータ、ＳＡＥ システムアーキテクチャエボリューション、ＳＡＰ サービスアクセスポイント、ＳＣ−ＦＤＭＡ 単一搬送波周波数分割多元接続、ＳＦＢＣ 空間周波数ブロックコーディング、Ｓ−ＧＷ サービングゲートウェイ、ＳＩＭＯ 単一入力複数出力、ＳＩＳＯ 単一入力単一出力、ＳＮＲ 信号対ノイズ比、ＳＲＳ サウンディング基準信号、Ｓ−ＳＣＨ 二次同期信号、ＳＵ−ＭＩＭＯ 単一ユーザＭＩＭＯ、ＴＤＤ 時間分割デュプレックス、ＴＤＭＡ 時間分割多元接続、ＴＲ テクニカルレポート、ＴｒＣＨ 伝送チャネル、ＴＳ 技術仕様、ＴＴＡ 電気通信技術協会、ＴＴＩ 送信時間間隔、ＵＣＩ アップリンク制御インジケータ、ＵＥ ユーザ機器、ＵＬ アップリンク（加入者から基地局への送信）、ＵＬ−ＳＣＨ アップリンク共有チャネル、ＵＭＢ ウルトラ移動体ブロードバンド、ＵＭＴＳ ユニバーサル移動体電気通信システム、ＵＴＲＡ ユニバーサル地上無線アクセス、ＵＴＲＡＮ ユニバーサル地上無線アクセスネットワーク、ＶＳＡ ベクトル信号アナライザ、Ｗ−ＣＤＭＡ 広帯域コード分割多元接続を含んでいる。
【００５６】
ここでは、端末に関連してさまざまな態様を記述したことに留意されたい。端末は、システム、ユーザデバイス、加入者ユニット、加入者局、移動局、移動体デバイス、遠隔局、遠隔端末、アクセス端末、ユーザ端末、ユーザエージェント、またはユーザ機器とも呼ばれてもよい。ユーザデバイスは、セルラ電話機、コードレス電話機、セッション開始プロトコル（ＳＩＰ）電話機、ワイヤレスローカルループ（ＷＬＬ）局、ＰＤＡ、ワイヤレス接続能力を有するハンドヘルドデバイス、端末内のモジュール、ホストデバイスに取り付けることができるカード（例えば、ＰＣＭＣＩＡカード）、または、ホストデバイス内に組み込まれているカード（例えば、ＰＣＭＣＩＡカード）、またはワイヤレスモデムに接続されている他の処理デバイスであってもよい。
【００５７】
さらに、クレームした主題事項の態様は、ソフトウェア、ファームウェア、ハードウェア、またはこれらの任意のものを組み合わせたものを生成させて、コンピュータまたはコンピューティングコンポーネントを制御して、クレームした主題事項のさまざまな態様を実現するための、標準プログラミングおよび／またはエンジニアリング技術を使用している方法、装置または、製造物として実現されてもよい。ここで用いる「製造物」という用語は、何らかのコンピュータ読み取り可能デバイス、キャリア、または媒体からアクセス可能なコンピュータプログラムを含むことを意図している。例えば、コンピュータ読み取り可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック、キードライブ．．．）を含むことができるが、これらに限定されない。さらに、音声メールを送信および受信する際に、または、セルラネットワークのようなネットワークにアクセスする際に使用されるような、コンピュータ読み取り可能な電子データを伝えるために搬送波を使用できることを正しく認識すべきである。もちろん、当業者は、ここで記述したものの範囲または精神から逸脱することなく、この構成に対して多くの変更が行われてもよいことを認識するだろう。
【００５８】
上述していることは、１つ以上の実施形態の例を含んでいる。もちろん、先に言及した実施形態を記述する目的のためにコンポーネントまたは方法論のすべての考えられる組み合わせを記述することは不可能であるが、当業者は、さまざまな実施形態の多くのさらなる組み合わせおよび置換が可能性であることを認識してもよい。したがって、記述した実施形態は、特許請求の範囲の精神および範囲内にあるすべてのこのような変更、修正およびバリエーションを含むことを意図している。さらに、「含む」という用語が詳細な説明または特許請求の範囲のいずれかで使用される限り、このような用語は、請求項中で移行語として使用されるときに「具備する」が解釈されるように、「具備する」という用語に類似して包括的であることが意図されている。
【図１】
2014078974.tif 000003
【図２】
2014078974.tif 000004
【図３】
2014078974.tif 000005
【図４】
2014078974.tif 000006
【図５】
2014078974.tif 000007
【図６】
2014078974.tif 000008
【図７】
2014078974.tif 000009
【図８】
2014078974.tif 000010
【図９】
2014078974.tif 000011
【図１０】
2014078974.tif 000012
【図１１】
2014078974.tif 000013
【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
ワイヤレス通信のためのリソースを割り振るための方法において、
複数のサブフレームからのダウンリンク制御チャネルをグループ化することと、
前記ダウンリンク制御チャネルを制御チャネルエレメント（ＣＣＥ）にマッピングすることと、
前記マッピングにしたがって、前記ダウンリンク制御チャネルを送信することとを含み、
前記マッピングは、アップリンク（ＵＬ）動的肯定応答／否定応答（ＡＣＫ／ＮＡＣＫ）に対して予約されているリソースの第２のセットを物理アップリンク共有チャネル（ＰＵＳＣＨ）送信によって使用できるように、複数のダウンリンク制御チャネルの第１のＣＣＥを、ＵＬ動的ＡＣＫ／ＮＡＣＫに対して予約されている前記リソースの第１のセットに暗黙的マッピングをする位置に位置付けるために実行され、
前記マッピングは、前記グループ化したダウンリンク制御チャネルのうちの、その第１のＣＣＥが第１の直交周波数分割多重（ＯＦＤＭ）シンボル中に位置付けられているすべてのダウンリンク制御チャネルを、前記リソースの第１のセットの帯域端にマッピングするために最初に順序付けることを含む方法。
【請求項２】
前記マッピングは、
前記グループ化したダウンリンク制御チャネルのうちの、その第１のＣＣＥが第２のＯＦＤＭシンボル中に位置付けられているダウンリンク制御チャネルを、前記リソースの第１のセットにマッピングするために順序付けることと、
前記グループ化したダウンリンク制御チャネルのうちの、その第１のＣＣＥが第３のＯＦＤＭシンボル中に位置付けられているダウンリンク制御チャネルを、前記リソースの第１のセットにマッピングするために順序付けることとをさらに含む請求項１記載の方法。
【請求項３】
前記ダウンリンク制御チャネルは、物理ダウンリンク制御チャネル（ＰＤＣＣＨ）に関係付けられている請求項１記載の方法。
【請求項４】
前記マッピングは、
前記グループ化したダウンリンク制御チャネルのうちの、第１のダウンリンクサブフレーム中で、前記第１のＣＣＥに関係付けられていないダウンリンク制御チャネルを、前記リソースの第１のセットにマッピングするために順序付けることと、
前記グループ化したダウンリンク制御チャネルのうちの、第２のダウンリンクサブフレーム中で、前記第１のＣＣＥに、または、前記第１のダウンリンクサブフレームに関係付けられていないダウンリンク制御チャネルを、前記リソースの第１のセットにマッピングするために順序付けることと、
前記グループ化したダウンリンク制御チャネルのうちの、第３のダウンリンクサブフレーム中で、前記第１のＣＣＥに、前記第１のダウンリンクサブフレームに、または、前記第２のダウンリンクサブフレームに関係付けられていないダウンリンク制御チャネルを、前記リソースの第１のセットにマッピングするために順序付けることとをさらに含む請求項１記載の方法。
【請求項５】
通信装置において、
複数のサブフレームからのダウンリンク制御チャネルをグループ化するための命令と、
前記ダウンリンク制御チャネルを制御チャネルエレメント（ＣＣＥ）にマッピングするための命令と、
前記マッピングにしたがって、前記ダウンリンク制御チャネルを送信するための命令とを保持するメモリと、
前記命令を実行するプロセッサとを具備し、
前記マッピングは、アップリンク（ＵＬ）動的肯定応答／否定応答（ＡＣＫ／ＮＡＣＫ）に対して予約されているリソースの第２のセットを物理アップリンク共有チャネル（ＰＵＳＣＨ）送信によって使用できるように、複数のダウンリンク制御チャネルの第１のＣＣＥを、ＵＬ動的ＡＣＫ／ＮＡＣＫに対して予約されている前記リソースの第１のセットに暗黙的マッピングをする位置に位置付けるために実行され、
前記マッピングは、前記グループ化したダウンリンク制御チャネルのうちの、その第１のＣＣＥが第１の直交周波数分割多重（ＯＦＤＭ）シンボル中に位置付けられているすべてのダウンリンク制御チャネルを、前記リソースの第１のセットの帯域端にマッピングするために最初に順序付けることを含む通信装置。
【請求項６】
前記マッピングは、
前記グループ化したダウンリンク制御チャネルのうちの、その第１のＣＣＥが第２のＯＦＤＭシンボル中に位置付けられているダウンリンク制御チャネルを、前記リソースの第１のセットにマッピングするために順序付けることと、
前記グループ化したダウンリンク制御チャネルのうちの、その第１のＣＣＥが第３のＯＦＤＭシンボル中に位置付けられているダウンリンク制御チャネルを、前記リソースの第１のセットにマッピングするために順序付けることとをさらに含む請求項５記載の装置。
【請求項７】
前記マッピングは、
前記グループ化したダウンリンク制御チャネルのうちの、第１のダウンリンクサブフレーム中で、前記第１のＣＣＥに関係付けられていないダウンリンク制御チャネルを、前記リソースの第１のセットにマッピングするために順序付けることと、
前記グループ化したダウンリンク制御チャネルのうちの、第２のダウンリンクサブフレーム中で、前記第１のＣＣＥに、または、前記第１のダウンリンクサブフレームに関係付けられていないダウンリンク制御チャネルを、前記リソースの第１のセットにマッピングするために順序付けることと、
前記グループ化したダウンリンク制御チャネルのうちの、第３のダウンリンクサブフレーム中で、前記第１のＣＣＥに、前記第１のダウンリンクサブフレームに、または、前記第２のダウンリンクサブフレームに関係付けられていないダウンリンク制御チャネルを、前記リソースの第１のセットにマッピングするために順序付けることとをさらに含む請求項６記載の装置。
【請求項８】
通信装置において、
複数のサブフレームからのダウンリンク制御チャネルをグループ化する手段と、
前記ダウンリンク制御チャネルを制御チャネルエレメント（ＣＣＥ）にマッピングする手段と、
前記マッピングにしたがって、前記ダウンリンク制御チャネルを送信する手段とを具備し、
前記マッピングは、アップリンク（ＵＬ）動的肯定応答／否定応答（ＡＣＫ／ＮＡＣＫ）に対して予約されているリソースの第２のセットを物理アップリンク共有チャネル（ＰＵＳＣＨ）送信によって使用できるように、複数のダウンリンク制御チャネルの第１のＣＣＥを、ＵＬ動的ＡＣＫ／ＮＡＣＫに対して予約されている前記リソースの第１のセットに暗黙的マッピングをする位置に位置付けるために実行され、
前記マッピングは、前記グループ化したダウンリンク制御チャネルのうちの、その第１のＣＣＥが第１の直交周波数分割多重（ＯＦＤＭ）シンボル中に位置付けられているすべてのダウンリンク制御チャネルを、前記リソースの第１のセットの帯域端にマッピングするために最初に順序付けることを含む通信装置。
【請求項９】
その上に記憶されている命令を有するコンピュータ読み取り可能記憶媒体において、
前記命令は、
複数のサブフレームからのダウンリンク制御チャネルを少なくとも１つのコンピュータにグループ化させるためのコードと、
前記ダウンリンク制御チャネルを制御チャネルエレメント（ＣＣＥ）に前記少なくとも１つのコンピュータにマッピングさせるためのコードと、
前記マッピングにしたがって、前記ダウンリンク制御チャネルを前記少なくとも１つのコンピュータに送信させるためのコードとを含み、
前記マッピングは、アップリンク（ＵＬ）動的肯定応答／否定応答（ＡＣＫ／ＮＡＣＫ）に対して予約されているリソースの第２のセットを物理アップリンク共有チャネル（ＰＵＳＣＨ）送信によって使用できるように、複数のダウンリンク制御チャネルの第１のＣＣＥを、ＵＬ動的ＡＣＫ／ＮＡＣＫに対して予約されている前記リソースの第１のセットに暗黙的マッピングをする位置に位置付けるために実行され、
前記マッピングは、前記グループ化したダウンリンク制御チャネルのうちの、その第１のＣＣＥが第１の直交周波数分割多重（ＯＦＤＭ）シンボル中に位置付けられているすべてのダウンリンク制御チャネルを、前記リソースの第１のセットの帯域端にマッピングするために最初に順序付けることを含むコンピュータ読み取り可能記憶媒体。
【手続補正２】
【補正対象書類名】明細書
【補正対象項目名】００１９
【補正方法】変更
【補正の内容】
【００１９】
図２を参照すると、システム２００は、リソースの効率的な割り振りのための、シンボルの第１のマッピングコンポーネント２１０を提供している。一般的に、２２０において、第１のＯＦＤＭシンボル中に位置している第１の制御チャネルエレメント（ＣＣＥ）を有するＰＤＣＣＨが、順序付けられる。この後に、２３０では、第２のＯＦＤＭシンボル中に位置している第１の制御チャネルエレメント（ＣＣＥ）として順序付けられているＰＤＣＣＨが続き、２４０では、第３のＯＦＤＭシンボル中に位置している第１の制御チャネルエレメント（ＣＣＥ）として順序付けられているＰＤＣＣＨが続く等である。
【手続補正３】
【補正対象書類名】明細書
【補正対象項目名】００２９
【補正方法】変更
【補正の内容】
【００２９】
図４を参照すると、システム４００は、リソースの割り振りのための、サブフレームの第１のマッピングコンポーネント４１０を図示している。非対称的な構成では、それぞれのＵＬサブフレームは、複数のサブフレームに対応しているＡＣＫ／ＮＡＣＫを送るだろう。４２０ないし４４０において示したように、サブフレームの第１のマッピングアプローチは、それぞれ、１つのサブフレームごとにＤＬ ＰＤＣＣＨをマッピングする。すなわち、第１のＤＬサブフレームは、最初のＮ個のＡＣＫ／ＮＡＣＫリソースを使い、その後、第２のＤＬサブフレームが使う等である。非対称構成に依存して、ＵＬ ＡＣＫリソースは、ＦＤＤシステムにおいて必要されるもののＭ倍となるだろう。ここで、Ｍは、（Ｍ ＤＬ対１ ＵＬ）非対称の数である。
【手続補正４】
【補正対象書類名】明細書
【補正対象項目名】００４０
【補正方法】変更
【補正の内容】
【００４０】
通信するように設計されている、アンテナおよび／またはエリアのそれぞれのグループは、アクセスポイントのセクタと呼ばれることが多い。アンテナグループは、それぞれ、アクセスポイント１０００によりカバーされているエリアのうちの、セクタ中のアクセス端末と通信するように設計されている。フォワードリンク１０２０および１０２６による通信では、異なるアクセス端末１０１６および１０２２に対するフォワードリンクの信号対ノイズ比を向上するために、アクセスポイント１０００の送信アンテナは、ビーム形成を利用する。また、そのカバレージエリア中でランダムに散在されているアクセス端末に送信するためにビーム形成を使用しているアクセスポイントは、すべてのアクセス端末に対して、単一のアンテナを通して送信するアクセス端末よりも、隣接セルにおけるアクセス端末に対して、より低い干渉を生じさせる。アクセスポイントは、端末と通信するために使用される固定局であってもよく、アクセスポイント、ノードＢ、または他の何らかの専門用語で呼ばれてもよい。アクセス端末は、アクセス端末、ユーザ機器（ＵＥ）、ワイヤレス通信デバイス、端末と呼ばれてもよく、または他のいくつかの専門用語で呼ばれてもよい。
【手続補正５】
【補正対象書類名】明細書
【補正対象項目名】００４１
【補正方法】変更
【補正の内容】
【００４１】
図１１を参照すると、システム１１００は、ＭＩＭＯシステム１１００における、（アクセスポイントとしても知られている）送信機システム１１１０、および、（アクセス端末としても知られている）受信機システム１１５０を図示している。送信機システム１１１０において、多数のデータストリームに対するトラフィックデータを、データ源１１１２から送信（ＴＸ）データプロセッサ１１１４に提供する。それぞれのデータストリームは、各送信アンテナを通して送信される。ＴＸデータプロセッサ１１１４は、そのデータストリームに対して選択された特定のコーディングスキームに基づいて、それぞれのデータストリームに対するトラフィックデータをフォーマット化し、コード化し、インターリーブして、コード化されたデータを提供する。
【手続補正６】
【補正対象書類名】明細書
【補正対象項目名】００４２
【補正方法】変更
【補正の内容】
【００４２】
それぞれのデータストリームに対するコード化されたデータは、ＯＦＤＭ技術を使用して、パイロットデータにより多重化されてもよい。パイロットデータは、一般的に、既知の方法で処理され、チャネル応答を推定するために受信機システムにおいて使用されることもある、既知のデータパターンである。その後、そのデータストリームに対して選択された特定の変調スキーム（例えば、ＢＰＳＫ、ＱＰＳＫ、Ｍ−ＰＳＫ、またはＭ−ＱＡＭ）に基づいて、それぞれのデータストリームに対する、多重化されたパイロットおよびコード化されたデータを変調（すなわち、シンボルマッピング）し、変調シンボルを提供する。それぞれのデータストリームに対する、データレート、コード化、および変調を、プロセッサ１１３０により実行される命令により決定してもよい。
【手続補正７】
【補正対象書類名】明細書
【補正対象項目名】００５８
【補正方法】変更
【補正の内容】
【００５８】
上述していることは、１つ以上の実施形態の例を含んでいる。もちろん、先に言及した実施形態を記述する目的のためにコンポーネントまたは方法論のすべての考えられる組み合わせを記述することは不可能であるが、当業者は、さまざまな実施形態の多くのさらなる組み合わせおよび置換が可能性であることを認識してもよい。したがって、記述した実施形態は、特許請求の範囲の精神および範囲内にあるすべてのこのような変更、修正およびバリエーションを含むことを意図している。さらに、「含む」という用語が詳細な説明または特許請求の範囲のいずれかで使用される限り、このような用語は、請求項中で移行語として使用されるときに「具備する」が解釈されるように、「具備する」という用語に類似して包括的であることが意図されている。
以下に、本願出願当初の特許請求の範囲に記載された発明を付記する。
［１］ワイヤレス通信のためのリソースを割り振るための方法において、
複数のサブフレームからのダウンリンク制御チャネルをグループ化することと、
第１のシンボルマップ中に位置していて、アップリンクチャネルに対して予約されているリソースに関係する第１の制御チャネルエレメントを有している前記ダウンリンク制御チャネルを、ダウンリンクサブフレームにわたって順序付けることと、
前記リソースを効率的に割り振るために、シンボルの第１のマッピング、または、混合シンボル／サブフレームの第１のマッピングを使用することとを含む方法。
［２］前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている［１］記載の方法。
［３］前記ダウンリンク制御チャネルは、物理ダウンリンク制御チャネル（ＰＤＣＣＨ）に関係付けられている［１］記載の方法。
［４］第２のＯＦＤＭシンボル中に第１のＣＣＥを有するダウンリンク制御チャネルを順序付けることをさらに含む［２］記載の方法。
［５］第３のＯＦＤＭシンボル中に第１のＣＣＥを有するダウンリンク制御チャネルを順序付けることをさらに含む［４］記載の方法。
［６］第４のＯＦＤＭシンボル中に第１のＣＣＥを有するダウンリンク制御チャネルを順序付けることをさらに含む［５］記載の方法。
［７］物理アップリンク共有チャネル（ＰＵＳＣＨ）送信のために、未使用のリソースをスケジューリングすることをさらに含む［１］記載の方法。
［８］第１のダウンリンクサブフレーム中で、第１のＣＣＥに関係付けられていない残りのダウンリンク制御チャネルを順序付けることをさらに含む［１］記載の方法。
［９］第２のダウンリンクサブフレーム中で、前記第１のＣＣＥ、または、前記第１のダウンリンクサブフレームに関係付けられていない残りのダウンリンク制御チャネルを順序付けることをさらに含む［８］記載の方法。
［１０］第３のサブフレーム中で、前記第１のＣＣＥ、または、前記第１のダウンリンクサブフレーム、または、前記第２のダウンリンクサブフレームに関係付けられていない、残りのダウンリンク制御チャネルを順序付けることをさらに含む［９］記載の方法。
［１１］物理アップリンク共有チャネル（ＰＵＳＣＨ）送信のために、未使用のリソースをスケジューリングすることをさらに含む［８］記載の方法。
［１２］複数のサブフレームにわたって、データ制御チャネルを均等に分配することをさらに含む［１］記載の方法。
［１３］対称数のダウンリンクリソースおよびアップリンクリソースを処理することをさらに含む［１２］記載の方法。
［１４］時分割デュプレックス、または、周波数分割デュプレックスシステム、または、ハーフデュプレックス周波数分割システムにしたがって、前記ダウンリンクチャネルを処理することをさらに含む［１］記載の方法。
［１５］通信装置において、
複数のサブフレームからの制御チャネルを集約するための命令と、第１のシンボルマップ中に位置していて、アップリンクチャネルに対して予約されているリソースに関係する第１の制御チャネルエレメントを有する前記制御チャネルを、サブフレームにわたって再順序付けるための命令と、前記リソースを割り振るために、シンボルの第１のマッピング、または、混合シンボル／サブフレームの第１のマッピングを処理するための命令とを保持するメモリと、
前記命令を実行するプロセッサとを具備する通信装置。
［１６］前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている［１５］記載の装置。
［１７］第２のＯＦＤＭシンボル中に、第１のＣＣＥを有するダウンリンク制御チャネルをさらに含む［１６］記載の装置。
［１８］物理アップリンク共有チャネル（ＰＵＳＣＨ）送信のために、未使用のリソースを処理するためのスケジューラをさらに具備する［１７］記載の装置。
［１９］通信装置において、
１つ以上のサブフレームからの複数の制御チャネルを処理する手段と、
第１のシンボルマップ中に位置していて、アップリンクチャネルに対して予約されているリソースに関係する第１の制御チャネルエレメントを有している前記制御チャネルを、ダウンリンクサブフレームにわたって順番に並べる手段と、
前記リソースを処理するために、シンボルの第１のマッピング、または、混合シンボル／サブフレームの第１のマッピングを発生させる手段とを具備する通信装置。
［２０］コンピュータ読み取り可能媒体において、
１つ以上のサブフレームからの複数の制御チャネルを処理することと、
予約されているリソースに関係する第１のシンボルマップ中に位置している第１の制御チャネルエレメントを有する前記制御チャネルを、ダウンリンクサブフレームにわたって再順序付けることと、
前記リソースを割り振るために、シンボルの第１のマッピング、または、混合シンボル／サブフレームの第１のマッピングを送信することとを含むコンピュータ読み取り可能媒体。
［２１］プロセッサにおいて、
複数のサブフレームからの複数の制御チャネルを監視するための命令と、
予約されているリソースに関係する第１のシンボルマップ中に位置している第１の制御チャネルエレメントを有する前記制御チャネルを、ダウンリンクサブフレームにわたって拡散させるための命令と、
前記リソースを分配するために、シンボルの第１のマッピング、または、混合シンボル／サブフレームの第１のマッピングを送信するための命令とを実行するプロセッサ。
［２２］ワイヤレス通信のためのリソースを処理するための方法において、
複数のサブフレームからのダウンリンク制御チャネルを受信することと、
第１のシンボルマップ中に位置していて、アップリンクチャネルに対して予約されているリソースに関係する第１の制御チャネルエレメントを有する前記ダウンリンク制御チャネルを、ダウンリンクサブフレームにわたって処理することと、
前記リソースを効率的に割り振るために、シンボルの第１のマッピング、または、混合シンボル／サブフレームの第１のマッピングを処理することとを含む方法。
［２３］前記制御チャネルエレメント（ＣＣＥ）は、ダウンリンク（ＤＬ）サブフレームにわたって位置付けられており、第１のＣＣＥは、アップリンク（ＵＬ）動的肯定応答／否定応答（ＡＣＫ／ＮＡＣＫ）に対して予約されているリソースの帯域端に対する第１の直交周波数分割多重（ＯＦＤＭ）シンボルマップ中に位置付けられている［２２］記載の方法。
［２４］物理アップリンク共有チャネル（ＰＵＳＣＨ）送信のために、未使用のリソースをスケジューリングすることをさらに含む［２３］記載の方法。
［２５］通信装置において、
複数のサブフレームからの制御チャネルを受信するための命令と、第１のシンボルマップ中に位置していて、アップリンクチャネルに対して予約されているリソースに関係する第１の制御チャネルエレメントを有する前記制御チャネルを、サブフレームにわたって処理するための命令と、前記リソースを割り振るために、シンボルの第１のマッピング、または、混合シンボル／サブフレームの第１のマッピングを処理するための命令とを保持するメモリと、
前記命令を実行するプロセッサとを具備する通信装置。
［２６］通信装置において、
１つ以上のサブフレームからの複数の制御チャネルを処理する手段と、
第１のシンボルマップ中に位置していて、アップリンクチャネルに対して予約されているリソースに関係する第１の制御チャネルエレメントを有する前記制御チャネルを、ダウンリンクサブフレームから受信する手段と、
前記リソースを処理するために、シンボルの第１のマッピング、または、混合シンボル／サブフレームの第１のマッピングを処理する手段とを具備する通信装置。
［２７］コンピュータ読み取り可能媒体において、
１つ以上のサブフレームからの複数の制御チャネルを処理することと、
予約されているリソースに関係する第１のシンボルマップ中に位置している第１の制御チャネルエレメントを有する前記制御チャネルを、ダウンリンクサブフレームにわたって受信することと、
前記リソースを割り振るために、シンボルの第１のマッピング、または、混合シンボル／サブフレームの第１のマッピングを処理することとを含むコンピュータ読み取り可能媒体。
［２８］プロセッサにおいて、
複数のサブフレームからの複数の制御チャネルを監視するための命令と、
予約されているリソースに関係する第１のシンボルマップ中に位置している第１の制御チャネルエレメントを有する前記制御チャネルを、ダウンリンクサブフレームにわたって受信するための命令と、
前記リソースを分配するために、シンボルの第１のマッピング、または、混合シンボル／サブフレームの第１のマッピングを処理するための命令とを実行するプロセッサ。
【手続補正８】
【補正対象書類名】図面
【補正対象項目名】図２
【補正方法】変更
【補正の内容】
【図２】
2014078974.tif 000014
【手続補正９】
【補正対象書類名】図面
【補正対象項目名】図３
【補正方法】変更
【補正の内容】
【図３】
2014078974.tif 000015
【手続補正１０】
【補正対象書類名】図面
【補正対象項目名】図９
【補正方法】変更
【補正の内容】
【図９】
2014078974.tif 000016
【外国語明細書】
2014078974000001.pdf